【手続補正書】
【提出日】平成21年10月20日(2009.10.20)
【手続補正１】
【補正対象書類名】特許請求の範囲
【補正対象項目名】全文
【補正方法】変更
【補正の内容】
【特許請求の範囲】
【請求項１】
画像データから目的とする対象の位置を検出する検出手段と、
撮像素子で生成された画像データを用いて画像を表示する表示手段と、
前記検出手段により検出された前記対象の位置を示す表示を前記表示手段に表示させる表示制御手段と、
前記撮像素子で生成された画像データを記憶する記憶手段とを有し、
前記検出手段は前記撮像素子で生成された画像データを前記記憶手段に記憶する撮影動作よりも前に前記撮像素子で生成された画像データから前記対象の位置を検出する場合は、前記記憶手段に記憶されている画像データから前記対象の位置を検出する場合に比較して、少なくとも、前記対象を検出する前記画像データの範囲を狭く設定すること、検出可能とする前記対象の傾きの範囲を狭く設定すること、及び、前記対象を検出するために用いる前記画像データのサイズを小さく設定することのいずれかを行うことを特徴とする撮像装置。
【請求項２】
前記表示手段は前記撮影動作により前記記憶手段に記憶された画像データを用いて画像を表示し、前記検出手段は該表示に用いた画像データから前記対象の位置を検出することを特徴とする請求項１に記載の撮像装置。
【請求項３】
前記表示手段は前記記憶手段に記憶された画像データを再生して画像を表示し、前記検出手段は該表示に用いた画像データから前記対象の位置を検出することを特徴とする請求項１に記載の撮像装置。
【請求項４】
画像データから目的とする対象の位置を検出する検出手段と、
撮像素子で生成された画像データを用いて画像を表示する表示手段と、
前記検出手段により検出された前記対象の位置を示す表示を前記表示手段に表示させる表示制御手段と、
記憶手段へ画像データを記憶することを指示するためのシャッタースイッチとを有し、
前記検出手段は、前記シャッタースイッチが操作される前に前記撮像素子で生成された画像データから前記対象の位置を検出する場合は、前記シャッタースイッチが操作された後に前記撮像素子で生成された画像データから前記対象の位置を検出する場合に比較して、少なくとも、前記対象を検出する前記画像データの範囲を狭く設定すること、検出可能とする前記対象の傾きの範囲を狭く設定すること、及び、前記対象を検出するために用いる前記画像データのサイズを小さく設定することのいずれかを行うことを特徴とする撮像装置。
【請求項５】
前記表示手段は、前記シャッタースイッチが操作された後に前記撮像素子で生成された画像データを用いて画像の表示を行い、前記検出手段は該表示に用いた画像データから前記対象の位置を検出することを特徴とする請求項４に記載の撮像装置。
【請求項６】
前記検出手段により検出された前記対象の位置の画像データを用いて、焦点制御を行う焦点制御手段をさらに有することを特徴とする請求項１乃至５のいずれか１項に記載の撮像装置。
【請求項７】
前記検出手段により検出された前記対象の位置の画像データを用いて、露出制御を行う露出制御手段をさらに有することを特徴とする請求項１乃至６のいずれか１項に記載の撮像装置。
【請求項８】
画像データから目的とする対象の位置を検出する検出工程と、
撮像素子で生成された画像データを用いて画像を表示手段に表示する表示工程と、
前記検出工程で検出された前記対象の位置を示す表示を前記表示手段に表示する表示制御工程と、
前記撮像素子で生成された画像データを記憶手段に記憶する撮影工程とを有し、
前記検出工程において、前記撮影工程よりも前に前記撮像素子で生成された画像データから前記対象の位置を検出する場合は、前記記憶手段に記憶されている画像データから前記対象の位置を検出する場合に比較して、少なくとも、前記対象を検出する前記画像データの範囲を狭く設定すること、検出可能とする前記対象の傾きの範囲を狭く設定すること、及び、前記対象を検出するために用いる前記画像データのサイズを小さく設定することのいずれかを行うことを特徴とする撮像装置の制御方法。
【請求項９】
画像データから目的とする対象の位置を検出する検出工程と、
撮像素子で生成された画像データを用いて画像を表示手段に表示する表示工程と、
前記検出工程で検出された前記対象の位置を示す表示を前記表示手段に表示する表示制御工程と、
シャッタースイッチの操作に応じて記憶手段へ画像データを記憶する撮影工程とを有し、
前記検出工程において、前記シャッタースイッチが操作される前に前記撮像素子で生成された画像データから前記対象の位置を検出する場合は、前記シャッタースイッチが操作された後に前記撮像素子で生成された画像データから前記対象の位置を検出する場合に比較して、少なくとも、前記対象を検出する前記画像データの範囲を狭く設定すること、検出可能とする前記対象の傾きの範囲を狭く設定すること、及び、前記対象を検出するために用いる前記画像データのサイズを小さく設定することのいずれかを行うことを特徴とする撮像装置の制御方法。
【請求項１０】
請求項８または９に記載の制御方法をコンピュータに実行させるためのプログラム。 
【請求項１１】
請求項１０に記載のプログラムを記憶したコンピュータが読み取り可能な記憶媒体。
【手続補正２】
【補正対象書類名】明細書
【補正対象項目名】００１２
【補正方法】変更
【補正の内容】
【００１２】
上述した課題を解決し、目的を達成するために、本発明に係わる撮像装置は、画像データから目的とする対象の位置を検出する検出手段と、撮像素子で生成された画像データを用いて画像を表示する表示手段と、前記検出手段により検出された前記対象の位置を示す表示を前記表示手段に表示させる表示制御手段と、前記撮像素子で生成された画像データを記憶する記憶手段とを有し、前記検出手段は前記撮像素子で生成された画像データを前記記憶手段に記憶する撮影動作よりも前に前記撮像素子で生成された画像データから前記対象の位置を検出する場合は、前記記憶手段に記憶されている画像データから前記対象の位置を検出する場合に比較して、少なくとも、前記対象を検出する前記画像データの範囲を狭く設定すること、検出可能とする前記対象の傾きの範囲を狭く設定すること、及び、前記対象を検出するために用いる前記画像データのサイズを小さく設定することのいずれかを行うことを特徴とする。
また、本発明に係わる撮像装置は、画像データから目的とする対象の位置を検出する検出手段と、撮像素子で生成された画像データを用いて画像を表示する表示手段と、前記検出手段により検出された前記対象の位置を示す表示を前記表示手段に表示させる表示制御手段と、記憶手段へ画像データを記憶することを指示するためのシャッタースイッチとを有し、前記検出手段は、前記シャッタースイッチが操作される前に前記撮像素子で生成された画像データから前記対象の位置を検出する場合は、前記シャッタースイッチが操作された後に前記撮像素子で生成された画像データから前記対象の位置を検出する場合に比較して、少なくとも、前記対象を検出する前記画像データの範囲を狭く設定すること、検出可能とする前記対象の傾きの範囲を狭く設定すること、及び、前記対象を検出するために用いる前記画像データのサイズを小さく設定することのいずれかを行うことを特徴とする。
【手続補正３】
【補正対象書類名】明細書
【補正対象項目名】００１３
【補正方法】変更
【補正の内容】
【００１３】
また、本発明に係わる撮像装置の制御方法は、画像データから目的とする対象の位置を検出する検出工程と、撮像素子で生成された画像データを用いて画像を表示手段に表示する表示工程と、前記検出工程で検出された前記対象の位置を示す表示を前記表示手段に表示する表示制御工程と、前記撮像素子で生成された画像データを記憶手段に記憶する撮影工程とを有し、前記検出工程において、前記撮影工程よりも前に前記撮像素子で生成された画像データから前記対象の位置を検出する場合は、前記記憶手段に記憶されている画像データから前記対象の位置を検出する場合に比較して、少なくとも、前記対象を検出する前記画像データの範囲を狭く設定すること、検出可能とする前記対象の傾きの範囲を狭く設定すること、及び、前記対象を検出するために用いる前記画像データのサイズを小さく設定することのいずれかを行うことを特徴とする。
また、本発明に係わる撮像装置の制御方法は、画像データから目的とする対象の位置を検出する検出工程と、撮像素子で生成された画像データを用いて画像を表示手段に表示する表示工程と、前記検出工程で検出された前記対象の位置を示す表示を前記表示手段に表示する表示制御工程と、シャッタースイッチの操作に応じて記憶手段へ画像データを記憶する撮影工程とを有し、前記検出工程において、前記シャッタースイッチが操作される前に前記撮像素子で生成された画像データから前記対象の位置を検出する場合は、前記シャッタースイッチが操作された後に前記撮像素子で生成された画像データから前記対象の位置を検出する場合に比較して、少なくとも、前記対象を検出する前記画像データの範囲を狭く設定すること、検出可能とする前記対象の傾きの範囲を狭く設定すること、及び、前記対象を検出するために用いる前記画像データのサイズを小さく設定することのいずれかを行うことを特徴とする。